(57)【要約】      （修正有）【課題】一組のセグメント・ジョーが形成され、締め付け部として用いることができ、また、キーの複製中に破損した、セグメント・ジョーの部品との取替えが容易にできる交換可能なキー複製用の締め付け装置を提供する。【解決手段】交換可能セグメント・ジョー付きのキー複製器用の締め付け装置において、スロットを設けた基板、1組の側ガイド・ポストより形成されている細長く延びたスロットに配置された2組の可動ジョーと固定式ジョー、締め付け部、また破損したセグメント・ジョーの新品との取り替えを容易にするため、1組の可動と固定式のジョーの向かい合った2個の上端に取り外し可能に取り付けられた1組のセグメント・ジョー、および可動ジョーの側ガイド・ポストにそって固定式ジョーの方に動かし、キー・サンプルまたはキー・ブランクをセグメント・ジョーにより堅く締め付けるための2個の圧縮コイルばね付きのねじにより形成されている交換可能セグメント・ジョー付きのキー複製器用の締め付け装置。【選択図】図１
0003108338.tif 000002
【実用新案登録請求の範囲】
【請求項１】
交換可能セグメント・ジョー付きのキー複製器用の締め付け装置において、細長く延びたスロットを設けた基板、上記の1組の可動ジョーと固定ジョーの向かい合った両側の間に配置されている1組の側ガイド・ポストより形成されている上記の細長く延びたスロットに配置された2組の可動ジョーと固定ジョー、締め付け部として用いるため、また破損したセグメント・ジョーを新品と容易に取り替えるため、上記1組の可動ジョーと固定ジョーの向かい合った2個の上端に取り外し可能に取り付けられた1組のセグメント・ジョー、および上記可動ジョーを上記の1組の側ガイド・ポストにそって上記固定ジョーの方に動かし、キー・サンプルまたはキー・ブランクを上記の組になったセグメント・ジョーにより堅く締め付けるための上記組になった可動ジョーと固定式ジョーの向かい合った2個の中央部分の間にある圧縮コイルばね付きのねじにより形成されることを特徴とする交換可能セグメント・ジョー付きのキー複製器用の締め付け装置。
【請求項２】
おのおの組になった上記の可動ジョーと固定ジョーは、その２個の向き合った上端部でL字型の部材で構成されており、容易にまたしっかりと上記のセグメント・ジョーを支え、取り付けることを特徴とする請求項１記載の交換可能セグメント・ジョー付きのキー複製器用の締め付け装置。
【考案の詳細な説明】
【技術分野】
【０００１】
本考案は、交換可能セグメント・ジョー付きのキー複製器用の締め付け装置において、1組のセグメント・ジョーが形成され、締め付け部として用いることができ、またキーの複製中に破損したセグメント・ジョーの新品との取り替えが容易にできるようになっており、また1組の側ガイド・ポストが形成され、可動ジョーに取り付けられたセグメント・ジョーをまっすぐな経路線上の固定ジョーに取り付けられたセグメント・ジョーの方に、およびこれを通じて上向きに動くように案内し、キー・サンプルまたはキー・ブランクを堅く締め付けることができようになっていることを特徴とする交換可能セグメント・ジョー付きのキー複製器用の締め付け装置に関する。
【背景技術】
【０００２】
従来のキー複製器用の締め付け装置では、1組の固定ジョーと可動ジョーの２個の相対する上部に１組のメス部とオス部がそれぞれ形成されており、さらに固定ジョーと可動ジョーの間にねじが取り付けられ、可動ジョーを固定ジョーの方へ打ち込み、１組のメス部とオス部のかみ合わせによりキー・サンプルまたはキー・ブランクを締め付け、手の操作により締め付けたキー・ブランクを回転している切削工具の方に動かせ、キーの切削を行うようになっている。
【０００３】
しかし、かかるクランプのねじは、上記の組になった固定ジョーと可動ジョーのかみ合いの長さより相対的にはるかに長く、ねじにより駆動される可動ジョーの動きによって、まっすぐな経路線からわずかにずれが生じ、このようなずれによって平らなキー・サンプルまたはキー・ブランクの保持が適切でなくなる。すなわち、可動ジョーの上向きのずれによって平らなキー・サンプルやキー・ブランクが上に突出するようになる。
【０００４】
この結果キーの切削が不正確となり、例えば、形成されたキーのギザギザの深さが不正確となり、また可動ジョーと固定ジョーの締め付けエッジが今まで切削工具により予想外に切断されたり、さらに可動ジョーと固定ジョーに損傷を引き起こすことがある。可動ジョーと固定ジョーの締め付けエッジの3分の1が破損した場合、クランプ全体は使い物にならなくなる。
【考案の開示】
【課題を解決するための手段】
【０００５】
本考案は、上記の欠点を取り除くことを目的としており、交換可能セグメント・ジョー付きのキー複製器用の締め付け装置において、1組のセグメント・ジョーが形成され、締め付け部として用いることができ、またキーの複製中に破損したセグメント・ジョーの新品との取り替えが容易にできるようになっており、また1組の側ガイド・ポストが形成され、可動ジョーに取り付けられたセグメント・ジョーをまっすぐな経路線上の固定ジョーに取り付けられたセグメント・ジョーの方に上向きに動くように案内し、キー・サンプルまたはキー・ブランクを組になったセグメント・ジョーで堅く締め付けることができようになっていることを特徴とする交換可能セグメント・ジョー付きのキー複製器用の締め付け装置を提供する。
【０００６】
本考案の好適な実施例では、交換可能セグメント・ジョー付きのキー複製器用の締め付け装置は、細長く延びたスロットを有する基板、おのおの1組の可動と固定式ジョーの向かい合った両側の間に配置されている1組の側ガイド・ポストより形成されている上記の細長く延びたスロットに配置された2組の可動ジョーと固定式ジョー、締め付け部として用いため、またキーの複製中に切削工具により破損したセグメント・ジョーの新品との取り替えを容易にするため、上記1組の可動と固定式のジョーの向かい合った2個の上端に取り外し可能に取り付けられた1組のセグメント・ジョー、および可動ジョーを上記の両側の１組の側ガイド・ポストにそって固定式ジョーの方に打ち込み、キー・サンプルまたはキー・ブランクを上記の１組のセグメント・ジョーにより堅く締め付けるための上記組になった可動ジョーと固定式ジョーの向かい合った2個の中央部分の間にある圧縮コイルばね付きのねじにより形成されている。
【考案を実施するための最良の形態】
【０００７】
図1 - 3 については、本考案の一実施例である交換可能セグメント・ジョー付きのキー複製器用の締め付け装置は、細長く延びたスロット11を有し、複製切削工具とキー複製器（図示されていない）の触針の下に配置された基板1、細長く延びたスロット11中に配置され、お互いに向き合うように位置を調整した２組の可動ジョーと固定ジョー2,3、おのおのの組になった可動ジョーと固定ジョーの向かい合った２つの側に配置されている1組の側ガイド・ポスト4、締め付け部材として用いるため、またキーの複製中に切削工具で破損したセグメント・ジョーを容易に新品と取り替えるため平頭ねじ6によりおのおのの組になった可動ジョーと固定ジョーの上端に形成された２個の向かい合ったL字型部材におのおの取り外し可能に取り付けられた１組のセグメント・ジョー21, 31、および組になった可動ジョーと固定ジョーの２個の向かい合った中心部の間に配置してある圧縮コイルばね付きのねじ51より構成される。
【０００８】
ねじ51は、一端は細長く延びたスロット11の適当な位置に取り付けてある固定ジョー3の中心部に取り付けてあり、他端は可動ジョー2に噛み合っており、またこれより延びている。圧縮コイルばね53は、固定ジョー3と可動ジョー2の中心部の間に取り付けてあり、後者を後ろに偏らせ、キー・サンプルまたはキー・ブランクを受け取るようになっている。ハンドル52がねじ51の延びた終端に配置されており、組になっている側ガイド・ポスト4にそって可動ジョーを固定ジョーの方に動かし、まっすぐな経路線からずれを起こすことなく、組になったセグメント・ジョーでキー・サンプルまたはキー・ブランクを堅く締め付けるようになっている。
【０００９】
おのおのの組になった可動ジョーと固定ジョーの上端に形成され、向かい合っているL字型部材22と32は、お互いに直角の垂直面と水平面で形成されており、平頭ねじ6によってセグメント・ジョー21と31を容易にまたしっかりと支え、固定する。さらに、可動ジョーと固定ジョーのセグメント・ジョー21と31は、比較的に小さな部材で形成されており、切削工具で不意にまたひどく破損した場合、破損したセグメント・ジョーは、可動ジョーや固定ジョーの全体が失われることなく、新しい品と容易に交換することができる。
【図面の簡単な説明】
【００１０】
本考案の実施例を、添付図面に基づき一例として説明する。
【図１】本考案記載の交換可能セグメント・ジョー付きのキー複製器用の締め付け装置の透視図である。
【図２】本考案記載の交換可能セグメント・ジョー付きのキー複製器用の締め付け装置の部分断面平面図である。
【図３】本考案記載の交換可能セグメント・ジョー付きのキー複製器用の締め付け装置の部分断面正面図である。
【符号の説明】
【００１１】
２  可動ジョー，３  固定ジョー，４  側ガイド・ポスト，６  平頭ねじ，１１  スロット，２１  セグメント・ジョー，２２  L字型部材，３１  セグメント・ジョー，３２  L字型部材，５１  ねじ，５２  ハンドル，５３  圧縮コイルばね
【図１】
0003108338.tif 000003
【図２】
0003108338.tif 000004
【図３】
0003108338.tif 000005